(57)【要約】【課題】  ユーザデータエリア内におけるＯＰＣとＯＰＣの間においても光ディスクへの記録に最適な記録パワーを設定することができる光ディスク装置を提供する。【解決手段】  前回のＯＰＣと今回のＯＰＣを実行する光ディスクのアドレスの差に対する前回と今回の記録パワーの差の比率Ｒｎを算出し、補正パワーＹｒを算出し、今回記録する範囲におけるアドレスＸ’における記録パワーの予測値をＹ’＝Ｙｎ＋Ｙｒ＝Ｙｎ＋Ｒｎ＊（Ｘ’−Ｘｎ）の式で求めることによって、ユーザデータエリア内におけるＯＰＣとＯＰＣの間においても光ディスクへの記録に最適な記録パワーを設定することができる。【選択図】      図１
2008117431.tif 000002
【特許請求の範囲】
【請求項１】
書き換えが可能な光ディスクの記録面上にレーザ光を照射して情報を記録する記録手段と、
前記光ディスクに記録された情報を再生する再生手段と、
前記レーザ光の記録パワーを検出し検出された記録パワーと前記再生手段によって再生された信号から前記レーザ光の記録パワーを較正する記録パワー較正手段と、
前記光ディスクに情報を所定の長さだけ記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率を乗じて算出された補正パワーを今回記録パワーを較正したときの記録パワーに追加することによって、今回前記所定の長さを記録する範囲におけるアドレスに情報を記録するときの記録パワーを予測制御する予測制御手段と
を有することを特徴とする光ディスク装置。
【請求項２】
書き換えが可能な光ディスクの記録面上にレーザ光を照射して情報を記録する記録手段と、
前記光ディスクに記録された情報を再生する再生手段と、
前記レーザ光の記録パワーを検出し検出された記録パワーと前記再生手段によって再生された信号から前記レーザ光の記録パワーを較正する記録パワー較正手段と、
前記記録手段周辺の温度を検知する温度検知手段と、
前記光ディスクに情報を記録する際に前記レーザ光の記録パワーに対する光ディスクの記録感度の前記温度検知手段によって検知された温度に対する温度補正係数を記憶する温度補正係数記憶手段と、
前記光ディスクに情報を所定の長さを記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率及び今回記録パワー較正したときに検知された温度における前記温度補正係数を乗じて算出された補正パワーを今回記録パワーを較正したときの記録パワーに追加することによって、今回前記所定の長さを記録する範囲におけるアドレスに情報を記録するときの記録パワーを予測制御する予測制御手段と
を有することを特徴とする光ディスク装置。
【請求項３】
書き換えが可能な光ディスクの記録面上にレーザ光を照射して情報を記録する記録手段と、
前記光ディスクに記録された情報を再生する再生手段と、
前記レーザ光の記録パワーを検出し検出された記録パワーと前記再生手段によって再生された信号から前記レーザ光の記録パワーを較正する記録パワー較正手段と、
前記記録手段周辺の温度を検知する温度検知手段と、
前記光ディスクに情報を記録する際に前記レーザ光の記録パワーに対する光ディスクの記録感度の前記温度検知手段によって検知された温度に対する温度補正係数を記憶する温度補正係数記憶手段と、
前記光ディスクに情報を記録する際に前記レーザ光の記録パワーに対する光ディスクの記録感度の前記光ディスクの線速度に対する線速度補正係数を算出する線速度補正係数算出手段と、
前記光ディスクに情報を所定の長さを記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率、今回記録パワー較正したときに検知された温度における前記温度補正係数及び今回記録パワーを較正したときの線速度補正係数を乗じて算出された補正パワーを今回記録パワーを較正したときの記録パワーに追加することによって、今回前記所定の長さを記録する範囲におけるアドレスに情報を記録するときの記録パワーを予測制御する予測制御手段と
を有することを特徴とする光ディスク装置。
【発明の詳細な説明】
【技術分野】
【０００１】
本発明は、ＣＤ、ＤＶＤあるいはＨＤ ＤＶＤなどを扱う光ディスク装置に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスク ＨＤ ＤＶＤ(High Density Digital Versatile Disk)も市場に投入されるようになった。
【０００３】
ＣＤ−Ｒ（Recordable）／ＲＷ（Rewritable）やＤＶＤ−Ｒ／ＲＷなどの記録可能な光ディスクにデータを記録する際、光ディスクの所定の領域（ＰＣＡ（Power Calibration Area））に記録パワーを変化させてテストデータを試し書きし、試し書きされたテストデータを再生することでそれぞれのディスクに最適な記録パワーを設定するＯＰＣ（Optimum Power Control）と言われる機能が光ディスク装置には搭載されていることが多い。
【０００４】
光ディスクの記録パワーは、同一の光ディスクであっても光ディスクの基板厚さや情報記録材料の不均一、レーザダイオードの温度依存性によって影響を受けるため、記録密度の増大や記録速度の高速化に伴って、よりきめ細かい記録パワーの調整が要求されるようになった。このような要求に対応する方法として、以下のような技術が提案されている（例えば、特許文献１参照。）。
【０００５】
特許文献１には、光ディスクのユーザデータエリア内においてＯＰＣを実行し、ユーザデータが記録される部分の光ディスクの状態や温度状態に応じて記録パワーを決めることが記載されている。従来ＰＣＡは光ディスクの内周側あるいは内周側と外周側に設けられているため、ユーザデータエリアと離れており、ユーザデータエリア内のディスクの半径方向に亘る特性変化を補うことができないが、ユーザデータエリア内においてＯＰＣを実行することによってそれを補うことができる。
【０００６】
図１５は従来のユーザデータエリア内でＯＰＣを実施した場合の光ディスクのアドレスと記録パワーの関係を示した図である。ユーザデータエリア内のアドレスＸｎ付近でのＯＰＣによって記録パワーＹｎが求められ、アドレスＸｎ＋１付近ではＹｎ＋１が求められている。アドレスＸｎからアドレスＸｎ＋１までは一定の記録パワーとなっている。
【特許文献１】特開２００５−１００６１４号公報
【発明の開示】
【発明が解決しようとする課題】
【０００７】
ユーザデータエリア内におけるＯＰＣは、ディスクの半径方向に亘る特性変化やその時点での温度の影響をレーザ光の記録パワーに反映して最適な記録パワーを設定できる。しかしながら、ＯＰＣを実施した近辺のエリアから離れるに従って最適な記録パワーは変化する可能性が大きく、それに伴って記録状態が悪化する虞がある。これを解決するにはＯＰＣの実施間隔を短くして、よりきめ細かい記録パワーの調整をすることが考えられる。
【０００８】
ユーザデータエリア内のおけるＯＰＣでは、記録パワーを変更してテストデータを記録し、それを読み取り、最適パワーを決定した後にＯＰＣを実施したエリアにユーザデータを上書きするため、記録を終了するまでに時間を要する。従ってユーザデータエリアでＯＰＣを実施するにしてもＯＰＣの実施回数はできるだけ少なくしたいという背反する要求がある。
【０００９】
本発明は上記したような事情に鑑み成されたものであって、ユーザデータエリア内におけるＯＰＣとＯＰＣの間においても光ディスクへの記録に最適な記録パワーを設定することができる光ディスク装置を提供することを目的とする。
【課題を解決するための手段】
【００１０】
上記目的を達成するために、本発明の光ディスク装置は、書き換えが可能な光ディスクの記録面上にレーザ光を照射して情報を記録する記録手段と、前記光ディスクに記録された情報を再生する再生手段と、前記レーザ光の記録パワーを検出し検出された記録パワーと前記再生手段によって再生された信号から前記レーザ光の記録パワーを較正する記録パワー較正手段と、前記光ディスクに情報を所定の長さを記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率を乗じて算出された補正パワーを今回記録パワーを較正したときの記録パワーに追加することによって、今回前記所定の長さを記録する範囲におけるアドレスに情報を記録するときの記録パワーを予測制御する予測制御手段とを有することを特徴とする。
【００１１】
また、本発明の光ディスク装置は、書き換えが可能な光ディスクの記録面上にレーザ光を照射して情報を記録する記録手段と、前記光ディスクに記録された情報を再生する再生手段と、前記レーザ光の記録パワーを検出し検出された記録パワーと前記再生手段によって再生された信号から前記レーザ光の記録パワーを較正する記録パワー較正手段と、前記記録手段周辺の温度を検知する温度検知手段と、前記光ディスクに情報を記録する際に前記レーザ光の記録パワーに対する光ディスクの記録感度の前記温度検知手段によって検知された温度に対する温度補正係数を記憶する温度補正係数記憶手段と、前記光ディスクに情報を所定の長さを記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率及び今回記録パワー較正したときに検知された温度における前記温度補正係数を乗じて算出された補正パワーを今回記録パワーを較正したときの記録パワーに追加することによって、今回前記所定の長さを記録する範囲におけるアドレスに情報を記録するときの記録パワーを予測制御する予測制御手段とを有することを特徴とする。
【００１２】
また、本発明の光ディスク装置は、書き換えが可能な光ディスクの記録面上にレーザ光を照射して情報を記録する記録手段と、前記光ディスクに記録された情報を再生する再生手段と、前記レーザ光の記録パワーを検出し検出された記録パワーと前記再生手段によって再生された信号から前記レーザ光の記録パワーを較正する記録パワー較正手段と、前記記録手段周辺の温度を検知する温度検知手段と、前記光ディスクに情報を記録する際に前記レーザ光の記録パワーに対する光ディスクの記録感度の前記温度検知手段によって検知された温度に対する温度補正係数を記憶する温度補正係数記憶手段と、前記光ディスクに情報を記録する際に前記レーザ光の記録パワーに対する光ディスクの記録感度の前記光ディスクの線速度に対する線速度補正係数を算出する線速度補正係数算出手段と、前記光ディスクに情報を所定の長さを記録する毎に前記記録パワー較正手段によって前記レーザ光の記録パワーを較正し、前回記録パワーを較正したときの前記光ディスクのアドレスと今回記録パワーを較正したときのアドレスの差に対する、前回記録パワーを較正したときの記録パワーと今回記録パワーを較正したときの記録パワーの差の比率を算出し、今回前記所定の長さを記録する際、今回前記所定の長さを記録する範囲におけるアドレスと今回記録パワーを較正したときのアドレスの差に前記比率、今回記録パワー較正したときに検知された温度における前記温度補正係数及び今回記録パワーを較正したときの線速度補正係数を乗じて算出された補正パワーを今回記録パワーを較正したときの記録パワーに追加することによって、今回前記所定の長さを記録する範囲におけるアドレスに情報を記録するときの記録パワーを予測制御する予測制御手段とを有することを特徴とする。
【発明の効果】
【００１３】
本発明によれば、ユーザデータエリア内におけるＯＰＣとＯＰＣの間においても光ディスクへの記録に最適な記録パワーを設定することができ、光ディスクへ記録品位のよい記録をすることが可能となる。
【発明を実施するための最良の形態】
【００１４】
以下本発明の実施例について図面を参照しながら説明する。
【実施例１】
【００１５】
図１は、本発明が適用される光ディスク装置１の構成を示すブロック図である。光ディスク２は、例えばＤＶＤ−ＲＡＭのようなユーザデータを記録可能な光ディスクである。光ディスク２の表面にはスパイラル状にランドトラックおよびグループトラックが形成されており、この光ディスク２はディスクモータ３によって回転駆動される。ディスクモータ３はディスクモータ制御回路４によって制御されている。
【００１６】
光ディスク２に対する情報の記録、再生は、光ピックアップ５によって行われる。光ピックアップ５には、図示しないワイヤあるいは板バネによって移動可能に支持された対物レンズ６が設けられており、対物レンズ６はフォーカス方向駆動コイル７の駆動によりフォーカスシング方向（レンズの光軸方向）への移動が可能で、またトラック方向駆動コイル８の駆動によりトラッキング方向（レンズの光軸と直交する方向で光ディスクの半径方向）への移動が可能である。
【００１７】
変調回路９は情報記録時にホスト装置２５からインターフェース回路２４を介して供給されるユーザデータを変調し、変調された記録データをレーザ制御回路１０へ提供する。変調方式は例えばＤＶＤ系の場合には８−１６変調であり、ＣＤ系の場合にはＥＦＭ変調である。レーザ制御回路１０は光ディスク２への情報記録時（マーク形成時）に、変調回路９から供給される変調された記録データに基づいて、書き込み用信号を光ピックアップ５内の半導体レーザダイオード１１に供給する。
【００１８】
半導体レーザダイオード１１は、レーザ制御回路１０から供給される信号に応じてレーザ光を発生する。半導体レーザダイオード１１から発せられるレーザ光は、光学系部品１２及び対物レンズ６を介して光ディスク２の記録面上に照射される。光ディスク２からの反射光は、対物レンズ６及び光学系部品１２を通過して光ピックアップ５内の分割された受光部を備えた光検出器１３に導かれる。光検出器１３からの出力信号は、信号処理回路１５へ供給される。
【００１９】
レーザ光モニタ検出器１４は、半導体レーザダイオード１１が発生するレーザ光の一部を光学部品１２内にある図示しないハーフミラーから一定比率だけ分岐し、照射パワーに比例した受光信号を検出し、検出された受光信号をレーザ制御回路１０へ供給する。レーザ制御回路１０はレーザ光モニタ検出器１４から供給された受光信号を取得し、取得された受光信号に基づいて、ＣＰＵ（Central Processing Unit）２１により予め設定された再生時の再生パワー（照射パワー）、記録時の記録パワー、および消去時の消去パワーで発光するように半導体レーザダイオード１１を制御する。
【００２０】
信号処理回路１５は、フォーカスエラー信号及びトラッキングエラー信号を生成し、フォーカス・トラッキング制御回路１６へ出力する。フォーカス・トラッキング制御回路１６は、フォーカスシング制御信号及びトラッキング制御信号を生成する。それらの信号は、光ピックアップ５のフォーカス方向駆動コイル７及びトラック方向駆動コイル８に供給され、レーザ光が光ディスク２の情報記録面上のトラックに追従し常時ジャストフォーカスとなるように対物レンズ６が制御される。また信号処理回路１５は、データ再生信号を生成し、データ再生回路１７へ出力する。
【００２１】
データ再生回路１７は、ＰＬＬ回路１８からの再生用クロック信号に基づき、データ再生信号を復調する。データ再生回路１７で復調された再生データは、付与されているエラー訂正コードを用いて図示しないエラー訂正回路でエラー訂正を行った後、インターフェース回路２４を介してホスト装置２５に出力される。
【００２２】
温度検知手段１９は、光ピックアップ５周辺の温度を検知するための手段であり、主にサーミスタ等の温度センサにより構成される。
ディスクモータ制御回路４、変調回路９，レーザ制御回路１０、フォーカス・トラッキング制御回路１６、データ再生回路１７、ＰＬＬ回路１８等は、サーボ制御回路としての１つのＬＳＩチップ内に構成することができ、またこれらの回路は、バス２０を介してＣＰＵ（Central Processing Unit）２１によって制御される。
【００２３】
ＣＰＵ２１はインターフェース回路２４を介してホスト装置２５から供給される動作コマンドに従って、この光ディスク装置１を総合的に制御する。また、ＣＰＵ２１は、ＲＡＭ（Random Access Memory）２２を記録再生時のバッファメモリ等の作業エリアとして使用し、ＲＯＭ（Read Only Memory）２３に記憶されたプログラムに従った所定の制御を行う。
【００２４】
ＣＰＵ２１は、半導体レーザダイオード１１が照射するレーザ光の記録パワーと再生信号からレーザ光の記録パワーを較正する記録パワー較正部２１ａの機能を有している。記録パワー較正部２１ａは、ホスト装置２５から記録コマンドを受けると、光ディスク２のＰＣＡ（Power Calibration Area）やユーザデータエリアに記録パワーを変化させてテストデータを試し書きし、試し書きされたテストデータを再生することで光ディスク２に最適な記録パワーを設定するＯＰＣ（Optimum Power Control）を実施する。
【００２５】
またＣＰＵ２１は、ユーザデータエリア内におけるＯＰＣを実施するアドレスと次にＯＰＣを実施するアドレスの間において光ディスクへの記録に最適な記録パワーを予測制御する予測制御部２１ｂの機能を有する。予測制御については後述する。
【００２６】
図２は、光ディスク２へのＯＰＣとデータ記録の位置関係を模式的に示した図である。光ディスク２のユーザデータエリアの内周側にＰＣＡがあり、最初に記録する前はこのエリアにてＯＰＣを実行し最適な記録パワーを設定する。ユーザデータエリアの内周側から情報（ユーザデータ）を記録し、情報を所定の長さだけ記録したら次のＮＷＡ（Next Writable Area）にてＯＰＣを行う。所定の長さは随意に設定できるが、この所定の長さをセクタアドレスの範囲として１６進数で表示すると、例えば、１００００ｈ（hexadecimal number）程度とすることができる。ＯＰＣを実行し、最適な記録パワーが求められるとＯＰＣを行ったエリアに次のユーザデータを上書きして記録する。更にまた所定の長さを記録し上記工程を繰り返す。
【００２７】
図３は、ユーザデータエリア内でＯＰＣを実施した場合の光ディスクのアドレスと記録パワーの関係を示した図であって、本発明が目指す光ディスクのアドレスと記録パワーの関係を示す図である。ユーザデータエリア内のアドレスＸｎから情報を所定の長さだけ記録した後のアドレスがアドレスＸｎ＋１である。従って略一定の間隔でＯＰＣが実施されている。
【００２８】
アドレスＸｎでのＯＰＣによって記録パワーＹｎが求められ、アドレスＸｎ＋１ではＹｎ＋１が求められたとする。ＸｎとＹｎで示される点をＰｎ、Ｘｎ＋１とＹｎ＋１で示される点をＰｎ＋１とする。アドレスＸｎからアドレスＸｎ＋１まではこの場合アドレスＸｎからアドレスＸｎ＋１までは点Ｐｎと点Ｐｎ＋１を結ぶ線分に沿ってほぼ連続的に記録パワーが変化すると、アドレスＸｎからアドレスＸｎ＋１において最も適した記録パワーで記録できる可能性が大きい。アドレスＸｎにおけるＯＰＣで記録パワーＹｎが求められたとき、アドレスＸｎ＋１におけるＹｎ＋１の値は分からないが予測できれば、以上の点Ｐｎと点Ｐｎ＋１を結ぶ線分に沿った記録パワーの値に近い記録パワーで記録することが可能となる。
【００２９】
図４は、第１の実施例における光ディスク２のアドレスと記録パワーの関係を示す図である。アドレスＸｎ−１でのＯＰＣによって記録パワーＹｎ−１が求められ、アドレスＸｎでのＯＰＣによって記録パワーＹｎが求められたとき、予測制御部２１ｂによってアドレスＸ’における記録パワーＹ’を予測する。
【００３０】
アドレスＸｎ−１を前回記録パワーを較正したときのアドレスとし、アドレスＸｎを今回記録パワー較正したときのアドレスとする。前回と今回のアドレスの差に対する前回と今回の記録パワーの差の比率をＲｎとすると、Ｒｎ＝（Ｙｎ−Ｙｎ−１）／（Ｘｎ−Ｘｎ−１）で表せる。この比率Ｒｎは、点Ｐｎ−１と点Ｐｎとを結ぶ線分の傾きを表している。アドレスＸｎからアドレスＸｎ＋１に対応する点Ｐｎと点Ｐｎ＋１（予測）を結ぶ線分の傾きもＲｎと同じであると予測する。アドレスＸｎからアドレスＸｎ＋１に至るアドレスに記録する範囲を今回記録する範囲とする。アドレスＸｎからアドレスＸｎ＋１の間のアドレスをＸ’とすると、アドレスＸｎからアドレスＸ’に至るときの記録パワーの増分Ｙｒ（補正パワー）はＹｒ＝Ｒｎ＊（Ｘ’−Ｘｎ）で表せる。記録パワーＹ’は、Ｙｎに補正パワーを追加した値であるから、Ｙ’＝Ｙｎ＋Ｙｒ＝Ｙｎ＋Ｒｎ＊（Ｘ’−Ｘｎ）となる。
【００３１】
図５は、第１の実施例におけるアドレスＸｎからアドレスＸｎ＋１に至る記録工程を示す図である。アドレスＸｎからアドレスＸｎ＋１に至る間のアドレスＸ’における記録パワーの予測値はＹ’＝Ｙｎ＋Ｙｒ＝Ｙｎ＋Ｒｎ＊（Ｘ’−Ｘｎ）で求められ、点Ｐｎと点Ｐｎ＋１（予測）を結ぶ線分に沿って連続的に記録パワーを変更しながら記録することが可能であるといっても、実際に記録するときにはある長さ（第２の所定の長さ）に区切って、その第２の所定の長さの範囲においては記録パワーを一定とし、段階的に記録パワーを変更しながら記録する。
【００３２】
所定の長さ（アドレスＸｎからアドレスＸｎ＋１に至るアドレス間隔、ユーザデータエリアにおけるＯＰＣを実施する間隔）を第１の所定の長さとすると、第２の所定の長さは、第１の所定の長さの十数分の一から数分の一である。例えば、第１の所定の長さを１００００ｈとし、第２の所定の長さを、例えば、２０００ｈとすると、第１の所定の長さを８分轄して記録することになる。アドレスＸｎから最初に記録パワーをＹｎとして記録し、２０００ｈを記録したら補正パワーＹｒを算出し、補正パワーをＹｎに追加して次の２０００ｈを記録することになる。
【００３３】
第１の所定の長さを記録すると、アドレスＸｎ＋１において次のＯＰＣを実施する。アドレスＸｎ＋１におけるＯＰＣで記録パワーＹｎ＋１が求められると、次回記録する範囲の比率をＸｎ、Ｘｎ＋１、Ｙｎ、Ｙｎ＋１から求める。
【００３４】
図６は第１の実施例における記録パワーの予測制御のフロー図である。Ｓ１において、ホスト２５から記録コマンドを受信すると、Ｓ２において記録パワー較正部２１ａが光ディスク２の内周のＰＣＡにてＯＰＣを実行する。ＰＣＡにおけるＯＰＣによって算出された記録パワーをＹ０とする。Ｓ３においてＹ０を算出しＲＡＭ２２に記憶する。Ｓ４において、ＮＷＡから記録を開始する。
【００３５】
Ｓ５において、ＣＰＵ２１は未記録データがあるかどうかを判定し、未記録データがあればＳ６へ移り、未記録データが無くなれば、終了する。ＣＰＵ２１は記録長さを監視しており、Ｓ６において、ＣＰＵ２１は第１の所定の長さを記録したか判定する。例えば第１の所定の長さを１００００ｈと設定したとすると、１００００ｈを記録したかどうか判定し、記録していなければ、Ｓ４に戻って記録を継続し、記録したならば、Ｓ７へ移る。この例では最初の１００００ｈについては記録パワーＹ０で記録される。
【００３６】
Ｓ７において、記録パワー較正部２１ａが、ユーザデータエリア内のＮＷＡにおいてＯＰＣを実行する。Ｓ８において記録パワーＹｎを算出しＲＡＭ２２に記憶する。最初のユーザデータエリア内でのＯＰＣはＹ１となる。Ｓ９において、予測制御部２１ｂは、比率Ｒｎを算出する。最初の比率はＲ１＝（Ｙ１−Ｙ０）／（Ｘ１−Ｘ０）となり、算出結果をＲＡＭ２２に記憶する。
【００３７】
Ｓ１０において、ＮＷＡから記録パワーＹｎで（最初はＹ１）でデータを記録する。Ｓ１１において、ＣＰＵ２１は未記録データがあるかどうかを判定し、未記録データがあればＳ１２へ移り、未記録データが無くなれば、終了する。Ｓ１２において、ＣＰＵ２１は第２の所定の長さを記録したか判定する。例えば第２の所定の長さを２０００ｈと設定したとすると、２０００ｈを記録したかどうか判定し、記録していなければ、Ｓ１０に戻って記録を継続し、記録したならば、Ｓ１３へ移る。
【００３８】
Ｓ１３において、予測制御部２１ｂは、補正パワーＹｒを算出し、ＲＡＭ２２に記憶する。Ｓ１４において、予測制御部２１ｂは、Ｓ１３で算出した補正パワーＹｒを記録パワーＹｎ（最初はＹ１）に追加する。Ｓ１５において記録パワーＹｎ＋Ｙｒ（最初はＹ１＋Ｙｒ）でＮＷＡから記録する。Ｓ１６において、ＣＰＵ２１は第１の所定の長さを記録したか判定する。例えば第１の所定の長さを１００００ｈと設定したとすると、１００００ｈを記録したかどうか判定し、記録していなければ、Ｓ１０に戻って記録を継続し、記録したならば、Ｓ７へ移る。Ｓ７へ移るときｎはインクリメントされ、記録パワー較正部２１ａが次のＯＰＣを実行する。
【００３９】
以上のように、前回のＯＰＣと今回のＯＰＣを実行する光ディスク２のアドレスの差に対する前回と今回の記録パワーの差の比率Ｒｎを算出し、補正パワーＹｒを算出し、今回記録する範囲におけるアドレスＸ’における記録パワーの予測値をＹ’＝Ｙｎ＋Ｙｒ＝Ｙｎ＋Ｒｎ＊（Ｘ’−Ｘｎ）の式で求めることによって、ユーザデータエリア内におけるＯＰＣとＯＰＣの間においても光ディスクへの記録に最適な記録パワーを設定することができる。
【実施例２】
【００４０】
この実施例２が実施例１と異なる点は、予測制御部２１ｂが、補正パワーＹｒを算出するとき、前回と今回のＯＰＣを実行するアドレスの差に対する前回と今回の記録パワーの差の比率Ｒｎの他に光ディスク２に情報を記録する際に必要とされるレーザ光の記録パワーの温度依存性を考慮した記録感度の温度補正係数を乗ずることによって、ＯＰＣとＯＰＣの間の記録パワーの予測において、より精度の高い予測値を算出する構成としたことにある。
【００４１】
図７は、光ピックアップ５の温度上昇値と光ディスク２への最適記録パワーの関係の例を示す図である。光ピックアップ５内の半導体レーザダイオード１１から照射されるレーザ光の波長は温度により波長が変化する。一般的には温度が上昇すると波長が長くなる。一方レーザ光の波長が長くなると一般的に光ディスクの記録感度が下がるため、温度が上昇すると、良好な記録状態を維持するには記録パワーを大きくしなければならない。図７は常温近辺において記録パワーが２１ｍＷ程度必要である場合に温度が３０度（degree）上昇すると記録パワーが２４ｍＷ程度必要になることを表す例である。
【００４２】
図８は、光ピックアップ５周辺の温度と記録感度の関係を示す図である。この場合の記録感度とは、光ディスク２の記録面の記録特性による記録感度ではなく、図７に示したように温度上昇によって要求される記録パワーが上昇することによる相対的な記録感度を示している。温度が上昇すると記録感度が下降するために、記録パワーを上昇させる必要があることを示している。記録感度を示す曲線は温度が上昇するにつれ、記録感度が下降する割合が小さくなる。
【００４３】
図８において、アドレスＸｎ−１でＯＰＣを実施したときの温度検知手段１９によって検知された温度をＴｎ−１とし、アドレスＸｎではＴｎとする。Ｘｎ−１からＸｎまで記録されるうちに温度がＴｎ−１からＴｎまで上昇した様子が分かれば、アドレスＸｎからアドレスＸｎ＋１の間のアドレスＸ’では温度が上昇傾向にあることは予想でき、また上昇傾向にあることが予想されると、記録感度Ｓは下降するが、記録感度Ｓが下降する割合が小さくなることが予想できる。従って、この場合アドレスＸ’で必要とされる記録パワーは、アドレスＸｎより大きくなるが、アドレスＸｎ−１からアドレスＸｎに至る記録パワーの上昇率よりも上昇率は小さくなる。温度補正係数は、記録感度Ｓの変化から得られる記録パワーの上昇率の程度を示す係数である。
【００４４】
図９は、光ピックアップ５周辺の温度Ｔｎと温度補正係数Ａのテーブル２６の例を示す図である。温度補正係数Ａは、アドレスＸｎで温度Ｔｎ、Ｔｎ−１とＴｎの温度差ΔＴが求められたときに、アドレスＸｎからアドレスＸｎ＋１の間のアドレスＸ’での記録パワーを予測する上で記録感度の影響を加味するための補正係数である。この例では、温度Ｔｎがｔ１からｔ７０の７０段階に分割され、例えば、−５℃から６９℃を１度刻みに当てはめられている。ΔＴは上昇方向を５０段階に、また下降方向を５０段階に、合計１００段階に分割され、例えば上昇方向を＋０度から４９度、下降方向を−１度から−５０度のように１度刻みに当てはめられている。温度補正係数Ａは光ディスク装置１の製造工程において図８に示した記録感度の特性を検査して取得し、温度Ｔｎと温度差ΔＴに対応する値を温度補正係数記憶手段であるＲＯＭ２３に記憶される。なお温度補正係数Ａのテーブル２６を構成について、温度Ｔｎ、温度差ΔＴの範囲と分割方法は上記した方法には限るものではない。
【００４５】
図１０は、第２の実施例における光ディスク２のアドレスと記録パワーの関係を示す図である。前回と今回のＯＰＣを実行するアドレスの差に対する前回と今回の記録パワーの差の比率Ｒｎの算出については実施例１と同様であるので省略する。補正パワーＹｒを算出するときに、実施例１では、補正パワーをＹｒ＝Ｒｎ（Ｘ’−Ｘｎ）としたが、実施例２では、補正パワーをＹｒ＝Ａ＊Ｒｎ＊（Ｘ’−Ｘｎ）のように比率Ｒｎに温度補正係数Ａを乗じて算出する。温度補正係数Ａを乗ずることによって、温度が上昇傾向にある場合、または下降傾向にある場合の記録パワーの予測値をより正確に算出することができる。
【００４６】
図１０では、点Ｐｎ−１と点Ｐｎとを結ぶ線分の傾きに対して、アドレスＸｎからアドレスＸｎ＋１に対応する点Ｐｎと点Ｐｎ＋１（予測）を結ぶ線分の傾きが小さくなると予測する。アドレスＸｎからアドレスＸｎ＋１に至るアドレスに記録する範囲を今回記録する範囲とする。アドレスＸｎからアドレスＸｎ＋１の間のアドレスをＸ’とすると、アドレスＸｎからアドレスＸ’に至るときの記録パワーの増分Ｙｒ（補正パワー）はＹｒ＝Ａ＊Ｒｎ＊（Ｘ’−Ｘｎ）で表せる。記録パワーＹ’は、Ｙｎに補正パワーを追加した値であるから、Ｙ’＝Ｙｎ＋Ｙｒ＝Ｙｎ＋Ａ＊Ｒｎ＊（Ｘ’−Ｘｎ）となる。
【００４７】
図１１は、第２の実施例におけるアドレスＸｎからアドレスＸｎ＋１に至る記録工程を示す図である。アドレスＸｎからアドレスＸｎ＋１に至る範囲を第２の所定の長さに区切って、その第２の所定の長さの範囲においては記録パワーを一定とし、段階的に記録パワーを変更しながら記録する。第１の所定の長さおよび第２の所定の長さについては実施例１と同様であるので省略する。第１の所定の長さを記録すると、アドレスＸｎ＋１において次のＯＰＣを実施する。アドレスＸｎ＋１におけるＯＰＣで記録パワーＹｎ＋１が求められると、次回記録する範囲の比率をＸｎ、Ｘｎ＋１、Ｙｎ、Ｙｎ＋１から求める。
【００４８】
図１２は、第２の実施例における記録パワーの予測制御のフロー図である。Ｓ２１において、ホスト２５から記録コマンドを受信すると、Ｓ２２において記録パワー較正部２１ａが光ディスク２の内周のＰＣＡにてＯＰＣを実行する。Ｓ２３において、ＣＰＵ２１は、温度検知手段１９の検知信号から光ピックアップ５周辺の温度を計測しＲＡＭ２２に記憶する。ＰＣＡにおけるＯＰＣによって算出された記録パワーをＹ０とする。Ｓ２４においてＹ０を算出しＲＡＭ２２に記憶する。Ｓ２５において、ＮＷＡから記録を開始する。
【００４９】
Ｓ２６において、ＣＰＵ２１は未記録データがあるかどうかを判定し、未記録データがあればＳ２７へ移り、未記録データが無くなれば、終了する。ＣＰＵ２１は記録長さを監視しており、Ｓ２７において、ＣＰＵ２１は第１の所定の長さを記録したか判定する。例えば第１の所定の長さを１００００ｈと設定したとすると、１００００ｈを記録したかどうか判定し、記録していなければ、Ｓ２５に戻って記録を継続し、記録したならば、Ｓ２８へ移る。この例では最初の１００００ｈについては記録パワーＹ０で記録される。
【００５０】
Ｓ２８において、記録パワー較正部２１ａが、ユーザデータエリア内のＮＷＡにおいてＯＰＣを実行する。Ｓ２９において、ＣＰＵ２１は、温度検知手段１９の検知信号から光ピックアップ５周辺の温度を計測しＲＡＭ２２に記憶する。Ｓ３０において記録パワーＹｎを算出しＲＡＭ２２に記憶する。最初のユーザデータエリア内でのＯＰＣはＹ１となる。Ｓ３１において、予測制御部２１ｂは、比率Ｒｎを算出する。最初の比率はＲ１＝（Ｙ１−Ｙ０）／（Ｘ１−Ｘ０）となり、算出結果をＲＡＭ２２に記憶する。
【００５１】
Ｓ３２において、ＮＷＡから記録パワーＹｎで（最初はＹ１）でデータを記録する。Ｓ３３において、ＣＰＵ２１は未記録データがあるかどうかを判定し、未記録データがあればＳ３４へ移り、未記録データが無くなれば、終了する。Ｓ３４において、ＣＰＵ２１は第２の所定の長さを記録したか判定する。例えば第２の所定の長さを２０００ｈと設定したとすると、２０００ｈを記録したかどうか判定し、記録していなければ、Ｓ３２に戻って記録を継続し、記録したならば、Ｓ３５へ移る。
【００５２】
Ｓ３５において、予測制御部２１ｂは、補正パワーＹｒを算出し、ＲＡＭ２２に記憶する。予測制御部２１ｂが、補正パワーＹｒを算出するとき、ＲＯＭ２３に記憶されている温度補正係数Ａのテーブル２６から計測された温度に対応する温度補正係数Ａを抽出し、Ｙｒ＝Ａ＊Ｒｎ＊（Ｘ’−Ｘｎ）の式を用いて算出する。
【００５３】
Ｓ３６において、予測制御部２１ｂは、Ｓ３５で算出した補正パワーＹｒを記録パワーＹｎ（最初はＹ１）に追加する。Ｓ３７において記録パワーＹｎ＋Ｙｒ（最初はＹ１＋Ｙｒ）でＮＷＡから記録する。Ｓ３８において、ＣＰＵ２１は第１の所定の長さを記録したか判定する。例えば第１の所定の長さを１００００ｈと設定したとすると、１００００ｈを記録したかどうか判定し、記録していなければ、Ｓ３２に戻って記録を継続し、記録したならば、Ｓ２８へ移る。Ｓ２８へ移るときｎはインクリメントされ、記録パワー較正部２１ａが次のＯＰＣを実行する。
【００５４】
以上のように、前回と今回のＯＰＣを実行するアドレスの差に対する前回と今回の記録パワーの差の比率Ｒｎを算出し、さらに、光ピックアップ周辺にて計測された温度に対応する温度補正係数Ａを用いて補正パワーＹｒを算出し、今回記録する範囲におけるアドレスＸ’における記録パワーの予測値をＹ’＝Ｙｎ＋Ｙｒ＝Ｙｎ＋Ａ＊Ｒｎ＊（Ｘ’−Ｘｎ）の式により求めることによって、ユーザデータエリア内におけるＯＰＣとＯＰＣの間においても光ディスクへの記録に最適な記録パワーを設定することができる。
【実施例３】
【００５５】
この実施例３が実施例２と異なる点は、予測制御部２１ｂが、補正パワーＹｒを算出するとき、前回と今回のＯＰＣを実行するアドレスの差に対する前回と今回の記録パワーの差の比率Ｒｎと温度補正係数Ａの他に更に光ディスク２に情報を記録する際に必要とされるレーザ光の記録パワーの光ディスクの線速度依存性を考慮した記録感度の線速度補正係数を乗ずることによって、ＯＰＣとＯＰＣの間の記録パワーの予測において、より精度の高い予測値を算出する構成としたことにある。
【００５６】
図１３は、実施例３が適用される光ディスク装置２７の構成を示すブロック図である。この実施例３の各部について、図１に示す実施例１の光ディスク装置１の各部と同一部分は同一符号である。図１で示した光ディスク装置１との違いは、ＣＰＵ２１が、ＯＰＣとＯＰＣの間の記録パワーの予測において、これから記録する領域の線速度に応じた線速度補正係数を算出する線速度補正係数算出部２１ｃの機能を有する点である。線速度補正係数算出部２１ｃは線速度補正係数算出手段を較正する。
【００５７】
光ディスク全体に渡って、あるいは一部の領域内において回転数を一定とする角速度一定方式（ＣＡＶ（Constant Angle Velocity）方式）では、外周へ行くほど線速度が速くなり、それに伴い記録パワーを大きくする必要がある。線速度補正係数算出部２１ｃは、ＯＰＣとＯＰＣの間の記録パワーの予測において、これから記録する領域の線速度に応じて記録パワーを補正する線速度補正係数を算出する。
【００５８】
図１４は、第３の実施例における記録パワーの予測制御のフロー図である。実施例２で説明した図１２に示したフロー図と実施例３の図１４に示したフロー図の違いは、Ｓ３５がＳ４１に変更になったことであり、他は共通である。Ｓ４１において、予測制御部２１ｂは、補正パワーＹｒを算出し、ＲＡＭ２２に記憶する。予測制御部２１ｂが、補正パワーＹｒを算出するとき、ＲＯＭ２３に記憶されている温度補正係数Ａのテーブル２６から計測された温度に対応する温度補正係数Ａを抽出し、更に線速度補正係数算出部２１ｃによって算出された線速度補正係数Ｃを乗じたＹｒ＝Ｃ＊Ａ＊Ｒｎ＊（Ｘ’−Ｘｎ）の式を用いて算出する。他の工程については共通であるので省略する。
【００５９】
以上のように、前回と今回のＯＰＣを実行するアドレスの差に対する前回と今回の記録パワーの差の比率Ｒｎを算出し、さらに、光ピックアップ周辺にて計測された温度に対応する温度補正係数Ａを用いて補正パワーＹｒを算出し、更に線速度補正係数算出部２１ｃによって線速度補正係数Ｃを算出し、今回記録する範囲におけるアドレスＸ’における記録パワーの予測値をＹ’＝Ｙｎ＋Ｙｒ＝Ｙｎ＋Ｃ＊Ａ＊Ｒｎ＊（Ｘ’−Ｘｎ）の式により求めることによって、ユーザデータエリア内におけるＯＰＣとＯＰＣの間においても光ディスクへの記録に最適な記録パワーを設定することができる。
【００６０】
本発明は以上の構成に限定されるもではなく種々の変形が可能である。
【図面の簡単な説明】
【００６１】
【図１】本発明が適用される光ディスク装置１の構成を示すブロック図。
【図２】光ディスク２へのＯＰＣとデータ記録の位置関係を模式的に示した図。
【図３】ＯＰＣを実施した場合の光ディスクのアドレスと記録パワーの関係を示した図。
【図４】第１の実施例における光ディスクのアドレスと記録パワーの関係を示す図。
【図５】第１の実施例におけるアドレスＸｎからアドレスＸｎ＋１に至る記録工程を示す図。
【図６】第１の実施例における記録パワーの予測制御のフロー図。
【図７】光ピックアップの温度上昇値と光ディスクへの最適記録パワーの関係の例を示す図。
【図８】光ピックアップ周辺の温度と記録感度の関係を示す図。
【図９】光ピックアップ周辺の温度Ｔｎと温度補正係数Ａのテーブルの例を示す図。
【図１０】第２の実施例における光ディスク２のアドレスと記録パワーの関係を示す図。
【図１１】第２の実施例におけるアドレスＸｎからアドレスＸｎ＋１に至る記録工程を示す図。
【図１２】第２の実施例における記録パワーの予測制御のフロー図。
【図１３】実施例３が適用される光ディスク装置２７の構成を示すブロック図。
【図１４】第３の実施例における記録パワーの予測制御のフロー図。
【図１５】従来のユーザデータエリア内でＯＰＣを実施した場合の光ディスクのアドレスと記録パワーの関係を示した図。
【符号の説明】
【００６２】
１  光ディスク装置
２  光ディスク
３  ディスクモータ
４  ディスクモータ制御回路
５  光ピックアップ
１０  レーザ制御回路
１１  半導体レーザダイオード
１３  光検出器
１４  レーザ光モニタ検出器
１５  信号処理回路
１６  フォーカス・トラッキング制御回路
１７  データ再生回路
１８  ＰＬＬ回路
１９  温度検知手段
２１  ＣＰＵ
２１ａ  記録パワー較正部
２１ｂ  予測制御部
２１ｃ  線速度補正係数算出部
２２  ＲＡＭ
２３  ＲＯＭ
２４  インターフェース回路
２５  ホスト装置
２６  テーブル
【図１】
2008117431.tif 000003
【図２】
2008117431.tif 000004
【図３】
2008117431.tif 000005
【図４】
2008117431.tif 000006
【図５】
2008117431.tif 000007
【図６】
2008117431.tif 000008
【図７】
2008117431.tif 000009
【図８】
2008117431.tif 000010
【図９】
2008117431.tif 000011
【図１０】
2008117431.tif 000012
【図１１】
2008117431.tif 000013
【図１２】
2008117431.tif 000014
【図１３】
2008117431.tif 000015
【図１４】
2008117431.tif 000016
【図１５】
2008117431.tif 000017